(57)【特許請求の範囲】
【請求項１】
発射装置によって発射された遊技球が案内され、当該遊技球が流下可能な遊技領域を具備した遊技盤に、遊技球が入賞可能な特定入賞装置を備え、
前記特定入賞装置が、
遊技球が入賞不能又は入賞困難となる閉塞位置と、遊技球が入賞可能又は入賞容易となる開放位置との間で開閉回動動作可能な一対の開閉部材と、
前記一対の開閉部材の間を通って入賞した遊技球が通過可能な球通路と、
前記球通路を通過する遊技球を検出する検出スイッチとを備え、
前記特定入賞装置への遊技球の入賞に基づいて所定の遊技価値が付与される遊技機であって、
前記特定入賞装置は、
前記開閉部材の回動軸線方向と略平行な第１軸線に沿って所定の第１位置と第２位置との間で直線駆動可能な駆動部材を有する特定駆動手段と、
前記第１位置から第２位置へと向かう特定駆動方向への前記駆動部材の直線駆動に連動して、前記第１軸線と略直交する第２軸線を軸心として回動する駆動伝達部材とを備え、
前記駆動伝達部材は、
前記第１軸線と略平行に形成された前記球通路の両側壁部に対しそれぞれ個々に軸支されかつ前記開閉部材を操作可能な一対のアーム部と、
前記第２軸線と略平行に並設されかつ前記第２軸線よりも上方位置にて前記両アーム部を連結する第１受部及び第２受部とを備え、
前記駆動部材は、
その変位状態に応じて前記第１受部と第２受部とに当接可能となる掛かり部を備え、
前記第１受部には、前記駆動部材が前記第１位置にある場合において、前記掛かり部が当接する略平面状の受け面が第２軸線と平行する方向に沿って形成され、
前記駆動部材が前記特定駆動方向へ駆動する際には、前記掛かり部が前記第２受部に当接することによって、前記駆動伝達部材が特定回動方向へ回動するとともに、前記アーム部を介して前記開閉部材に力が伝達され、前記開閉部材が前記閉塞位置から前記開放位置へと回動するように構成され、
前記駆動部材が前記第１位置にある場合には、前記掛かり部が前記第１受部の受け面に当接することによって、前記駆動伝達部材の前記特定回動方向への回動が規制されるとともに、前記アーム部によって前記開閉部材の回動が規制され、前記開閉部材が回動不能又は回動困難となるようにしたことを特徴とする遊技機。
【発明の詳細な説明】
【０００１】
【発明の属する技術分野】
本発明は、パチンコ機等の遊技機に関するものである。
【０００２】
【従来の技術】
一般に、遊技機の一種として、所定の遊技領域を有する遊技盤を備えたパチンコ機が知られている。遊技盤には、可変入賞装置、作動チャッカー、可変表示装置等が配設されている。可変表示装置の表示部には、例えば複数の図柄より構成される複数の図柄列が表示され、これら図柄が各図柄列毎に可変表示される。詳しくは、作動チャッカーへ遊技球が入賞すると、可変表示装置の表示部では図柄が可変表示される。そして、そこに確定された図柄の組合せが予め設定した特定の図柄の組合せとなった場合には特別遊技状態が発生し、可変入賞装置の大入賞口が所定の開放状態となり、遊技球が入賞しやすい状態となる。すなわち、特別遊技状態では、大入賞口に遊技球が入賞することに基づいて、遊技者に対し多数の景品球が払い出される。なお、作動チャッカーは、１つ又は複数の羽根を備えており、通常、これらの羽根は遊技球が入賞しづらい閉状態となっている。そして、所定条件が成立した場合には、羽根は遊技球が入賞しやすい開状態となる。
【０００３】
【発明が解決しようとする課題】
ところが、パチンコ機の隙間から針金等をパチンコ機内へ侵入させ、所定条件が成立してないにもかかわらず、作動チャッカーの羽根を強制的に駆動させ、多くの遊技球を作動チャッカーに入賞させようとする不正行為が行われるおそれがあった。
【０００４】
本発明は、以上の事情に鑑みてなされたものであり、作動チャッカー等の所定の入賞手段に対して行われる不正行為を低減することのできる遊技機を提供することを目的とする。
【０００５】
【課題を解決するための手段】
上記の目的を達成するために有効な手段を以下に示す。なお、必要に応じてその作用等についても説明する。
本発明に係る遊技機は、
発射装置によって発射された遊技球が案内され、当該遊技球が流下可能な遊技領域を具備した遊技盤に、遊技球が入賞可能な特定入賞装置を備え、
前記特定入賞装置が、
遊技球が入賞不能又は入賞困難となる閉塞位置と、遊技球が入賞可能又は入賞容易となる開放位置との間で開閉回動動作可能な一対の開閉部材と、
前記一対の開閉部材の間を通って入賞した遊技球が通過可能な球通路と、
前記球通路を通過する遊技球を検出する検出スイッチとを備え、
前記特定入賞装置への遊技球の入賞に基づいて所定の遊技価値が付与される遊技機であって、
前記特定入賞装置は、
前記開閉部材の回動軸線方向と略平行な第１軸線に沿って所定の第１位置と第２位置との間で直線駆動可能な駆動部材を有する特定駆動手段と、
前記第１位置から第２位置へと向かう特定駆動方向への前記駆動部材の直線駆動に連動して、前記第１軸線と略直交する第２軸線を軸心として回動する駆動伝達部材とを備え、
前記駆動伝達部材は、
前記第１軸線と略平行に形成された前記球通路の両側壁部に対しそれぞれ個々に軸支されかつ前記開閉部材を操作可能な一対のアーム部と、
前記第２軸線と略平行に並設されかつ前記第２軸線よりも上方位置にて前記両アーム部を連結する第１受部及び第２受部とを備え、
前記駆動部材は、
その変位状態に応じて前記第１受部と第２受部とに当接可能となる掛かり部を備え、
前記第１受部には、前記駆動部材が前記第１位置にある場合において、前記掛かり部が当接する略平面状の受け面が第２軸線と平行する方向に沿って形成され、
前記駆動部材が前記特定駆動方向へ駆動する際には、前記掛かり部が前記第２受部に当接することによって、前記駆動伝達部材が特定回動方向へ回動するとともに、前記アーム部を介して前記開閉部材に力が伝達され、前記開閉部材が前記閉塞位置から前記開放位置へと回動するように構成され、
前記駆動部材が前記第１位置にある場合には、前記掛かり部が前記第１受部の受け面に当接することによって、前記駆動伝達部材の前記特定回動方向への回動が規制されるとともに、前記アーム部によって前記開閉部材の回動が規制され、前記開閉部材が回動不能又は回動困難となるようにしたことをその要旨としている。
【０００６】
【発明の実施の形態】
手段１．遊技盤に、遊技球が入賞可能な特定入賞装置を備え、
前記特定入賞装置が、遊技球が入賞不能又は入賞困難となる閉塞位置と、遊技球が入賞可能又は入賞容易となる開放位置との間で開閉動作可能な少なくとも１つの開閉部材を備えてなる遊技機であって、
前記開閉部材を開閉駆動させるための特定駆動手段を備え、
前記閉塞位置にある開閉部材に対し、前記開放位置へ変位させる前記特定駆動手段からの応力以外の操作力が加えられた場合には、
前記開閉部材が前記閉塞位置にある状態において、変位不能又は変位困難となっている前記特定入賞装置の特定部位に前記開閉部材の一部が係止され、
前記開閉部材の前記開放位置への変位が規制されるようにしたことを特徴とする遊技機。
【０００７】
上記手段１によれば、開閉部材が前記閉塞位置にある状態において、開閉部材に対して駆動手段からの応力以外の操作力が加わった場合には、開閉部材の前記開放位置への変位が規制されるようになっている。従って、例えばパチンコ機等のように、特定入賞装置への遊技球の入賞に基づいて所定の遊技価値が付与される遊技機において、当該遊技機内へ針金等を侵入させ、開閉部材を強制的に開放させることによって多くの遊技球を特定入賞装置へ入賞させようとする不正行為等を極力防止できる。また、仮に開閉部材が閉塞位置にある状態においても、開閉部材の一部が係止される特定部位が所定方向に変位可能に構成されている場合には、開閉部材から受ける特定方向への応力に対しては当該応力を受けとめることが可能となるが、開閉部材と特定部位との係り具合によっては当該特定部材に対して前記所定方向への力が加わってしまい、特定部位が変位するとともに、開閉部材が変位可能となってしまうおそれがあった。しかし、上記手段１では、開閉部材が前記閉塞位置にある状態において、開閉部材が係止される特定部位が変位不能又は変位困難となっているため、そのような不具合の発生を抑えることができる。
【０００８】
手段２．遊技盤に、遊技球が入賞可能な特定入賞装置を備え、
前記特定入賞装置が、遊技球が入賞不能又は入賞困難となる閉塞位置と、遊技球が入賞可能又は入賞容易となる開放位置との間で回動可能な少なくとも１つの開閉部材を備えてなる遊技機であって、
前記特定入賞装置は、変位可能な駆動部材を有し当該駆動部材の変位に基づき前記開閉部材を駆動させる特定駆動手段を備え、
前記駆動部材が特定位置にある場合には、前記開閉部材が前記閉塞位置に位置するよう構成され、
前記閉塞位置にある開閉部材に対し、前記開放位置へ変位させる前記特定駆動手段からの応力以外の操作力が加えられた場合には、
前記駆動部材が特定位置にある状態において、変位不能又は変位困難となっている前記特定入賞装置の特定部位に前記開閉部材の一部が係止され、
前記開閉部材の前記開放位置への回動が規制されるようにしたことを特徴とする遊技機。
【０００９】
上記手段２によれば、駆動部材が特定位置にある状態において、開閉部材に対して駆動手段からの応力以外の操作力が加わった場合には、開閉部材の前記開放位置への変位が規制されるようになっている。従って、例えばパチンコ機等のように、特定入賞装置への遊技球の入賞に基づいて所定の遊技価値が付与される遊技機において、当該遊技機内へ針金等を侵入させ、開閉部材を強制的に開放させることによって多くの遊技球を特定入賞装置へ入賞させようとする不正行為等を極力防止できる。また、仮に駆動部材が特定位置にある状態においても、開閉部材の一部が係止される特定部位が所定方向に変位可能に構成されている場合には、開閉部材から受ける特定方向への応力に対しては当該応力を受けとめることが可能となるが、開閉部材と特定部位との係り具合によっては当該特定部材に対して前記所定方向への力が加わってしまい、特定部位が変位するとともに、開閉部材が変位可能となってしまうおそれがあった。しかし、上記手段２では、駆動部材が特定位置にある状態において、開閉部材が係止される特定部位が変位不能又は変位困難となっているため、そのような不具合の発生を抑えることができる。
【００１０】
手段３．手段２において、前記駆動部材は特定の第１軸線に沿って直線駆動可能に構成され、
前記特定位置である第１位置から所定の第２位置へと向かう特定駆動方向への前記駆動部材の駆動に連動して、前記第１軸線と略直交する第２軸線を軸心として回動する駆動伝達部材を備え、
前記駆動部材が前記第１位置にある場合には、前記駆動伝達部材の特定回動方向への回動を規制するように当該駆動部材の一部が前記駆動伝達部材の一部に当接するよう構成され、
前記特定部位は当該駆動伝達部材の一部位であることを特徴とする遊技機。
【００１１】
上記手段３によれば、駆動部材の駆動方向と交差する方向である駆動伝達部材の特定回動方向への動きが、当該駆動部材によって直接的に規制される。このため、より確実に上記開閉部材の回動を規制でき、上記不正行為等を防止できる。
【００１２】
手段４．手段３において、前記開閉部材は、前記駆動伝達部材の回動に連動して、前記閉塞位置から前記開放位置へと前記第１軸線と略平行な第３軸線を軸心として回動するように構成されていることを特徴とする遊技機。
【００１３】
手段５．手段３において、前記開閉部材は、前記駆動伝達部材の回動に連動して、前記閉塞位置から前記開放位置へと前記第２軸線と略平行な第３軸線を軸心として回動するように構成されていることを特徴とする遊技機。
【００１４】
手段６．遊技盤に、遊技球が入賞可能な特定入賞装置を備え、
前記特定入賞装置が、遊技球が入賞不能又は入賞困難となる閉塞位置と、遊技球が入賞可能又は入賞容易となる開放位置との間で開閉動作可能な少なくとも１つの開閉部材を備えてなる遊技機であって、
前記特定入賞装置は、所定の第１位置と第２位置との間で特定の第１軸線に沿って直線駆動可能な駆動部材を有する特定駆動手段と、
前記第１位置から第２位置へと向かう特定駆動方向への前記駆動部材の直線駆動に連動して、前記第１軸線と略直交する第２軸線を軸心として回動する駆動伝達部材とを備え、
前記駆動伝達部材の回動に連動して、前記開閉部材が前記閉塞位置から前記開放位置へと前記第１軸線と略平行な第３軸線を軸心として回動するように構成され、
前記駆動部材が前記第１位置にある場合には、当該駆動部材によって前記駆動伝達部材の回動が規制され、前記開閉部材が回動不能又は回動困難となるようにしたことを特徴とする遊技機。
【００１５】
上記手段６によれば、駆動部材が上記第１位置にある場合には、当該駆動部材によって駆動伝達部材の回動が規制されているため、開閉部材に対して駆動手段からの応力以外の外力が加わった場合でも、駆動伝達部材へ伝達される応力が駆動部材によって受け止められ、当該開閉部材が回動しないように又は回動しにくくなる。従って、例えばパチンコ機等のように、特定入賞装置への遊技球の入賞に基づいて所定の遊技価値が付与される遊技機において、当該遊技機内へ針金等を侵入させ、開閉部材を強制的に開放させることによって多くの遊技球を特定入賞装置へ入賞させようとする不正行為等を極力防止できる。
【００１６】
手段７．手段６において、前記駆動伝達部材は、前記第２軸線と略平行に並設された第１受部と第２受部とを有し、
前記駆動部材は、その変位状態に応じて前記第１受部と第２受部とに当接可能となる掛かり部を有し、
前記駆動部材が前記第１位置にある場合には、前記掛かり部が前記駆動伝達部材の特定回動方向への駆動を規制するように前記第１受部に当接し、
前記駆動部材が前記特定駆動方向へと駆動する際には、前記掛かり部が前記第２受部に掛かることによって、当該第２受部に前記特定回動方向への力が加わり、前記駆動伝達部材が回動するようにしたことを特徴とする遊技機。
【００１７】
上記手段７によれば、上記駆動部材の駆動方向と交差する方向である駆動伝達部材の特定回動方向への動きが、当該駆動部材によって直接的に規制される。このため、比較的少ない部品点数で、より確実に上記開閉部材の回動を規制でき、上記不正行為等を防止できる。また、特定の構成部材を新たに設けたりして、上記特定入賞装置の構成を比較的複雑にすることなく、上記駆動伝達部材を回動させたり規制したりすることができ、特定入賞装置の構成の簡素化を図ることができる。
【００１８】
手段８．手段６又は手段７において、前記開閉部材は、前記第３軸線上から外れた位置において、かつ、当該第３軸線と略平行に突出する操作子を有し、
前記駆動伝達部材は、前記操作子を操作可能な少なくとも１つの特定操作部を有し、
当該特定操作部によって前記操作子の回動が規制されるようにしたことを特徴する遊技機。
【００１９】
上記手段８によれば、開閉部材の回動軸と駆動伝達部材の回動軸とが交差した構成の下、特定操作部が操作子をその回動方向に対して押さえ付けるため、より確実に外力による開閉部材の回動が規制される。
【００２０】
手段９．手段６又は手段７において、前記開閉部材は、前記第３軸線上から外れた位置において、かつ、当該第３軸線と略平行に突出する操作子を有し、
前記駆動伝達部材は、前記操作子を操作可能な少なくとも１つの特定操作部を有し、
前記特定操作部は、前記特定回動方向に沿って並設された第１操作部と第２操作部とにより構成され、
前記駆動部材が第１位置にある場合には、前記第１操作部が前記操作子の回動を規制し、
前記駆動伝達部材が前記特定回動方向へ回動する際には、前記第２操作部によって前記操作子に対して、少なくとも前記第３軸線に略直交する特定方向への力が加えられ、前記開閉部材が回動するようにしたことを特徴とする遊技機。
【００２１】
上記手段９によれば、上記特定操作部と操作子との連結構成により、駆動伝達部材の回動が開閉部材の回動へと変換される。また、開閉部材の回動軸と駆動伝達部材の回動軸とが交差した構成の下、特定操作部が操作子をその回動方向に対して押さえ付けるため、より確実に外力による開閉部材の回動駆動が規制される。
【００２２】
手段１０．遊技盤に、遊技球が入賞可能な特定入賞装置を備え、
前記特定入賞装置が、遊技球が入賞不能又は入賞困難となる閉塞位置と、遊技球が入賞可能又は入賞容易となる開放位置との間で開閉動作可能な一対の開閉部材を備えてなる遊技機であって、
前記特定入賞装置は、前記遊技盤面に略直交する特定の第１軸線に沿って所定の第１位置と第２位置との間で直線駆動可能な駆動部材を有する特定駆動手段と、
前記第１位置から第２位置へと向かう特定駆動方向への前記駆動部材の直線駆動に連動して、前記第１軸線と略直交する第２軸線を軸心として回動する駆動伝達部材とを備え、
前記各開閉部材は、前記第１軸線と略平行な第３軸線を軸心として回動可能に構成されるとともに、前記第３軸線上から外れた位置において、かつ、当該第３軸線と略平行に突出する操作子を備え、
前記駆動伝達部材は、前記第２軸線と略平行に並設された第１受部と第２受部と、前記操作子を操作可能な一対の特定操作部とを備え、
前記各特定操作部は、前記駆動伝達部材の回動方向に沿って並設された第１操作部及び第２操作部を有し、
前記駆動部材は、その変位状態に応じて前記第１受部と第２受部とに当接可能となる掛かり部を備え、
前記駆動部材が前記特定駆動方向へと駆動するに際して、前記掛かり部が前記第２受部に掛かることによって、当該第２受部に特定回動方向への力が加わり、前記駆動伝達部材が回動するとともに、前記第２操作部によって前記操作子に対して少なくとも前記第３軸線に略直交する特定方向への力が加えられ、前記開閉部材が前記閉塞位置から前記開放位置へと回動するように構成され、
前記駆動部材が前記第１位置にある場合には、前記掛かり部が前記駆動伝達部材の前記特定回動方向への駆動を規制するように前記第１受部に当接するとともに、前記第１操作部によって前記操作子の回動が規制され、前記開閉部材が回動不能又は回動困難となるようにしたことを特徴とする遊技機。
【００２３】
上記手段１０によれば、駆動部材の駆動方向及び開閉部材の回動軸と、駆動伝達部材の回動軸とが略直交した構成の下、駆動部材が駆動伝達部材の回動を規制し、特定操作部が操作子をその回動方向に対して押さえ付けている。従って、開閉部材に対して駆動手段からの応力以外の外力が加わった場合でも、各操作子を介して駆動伝達部材へ伝達される応力が駆動部材によって受け止められ、当該開閉部材が回動しないように又は回動しにくくなる。これにより、例えばパチンコ機等のように、特定入賞装置への遊技球の入賞に基づいて所定の遊技価値が付与される遊技機において、当該遊技機内へ針金等を侵入させ、開閉部材を強制的に駆動させることによって多くの遊技球を特定入賞装置へ入賞させようとする不正行為等を極力防止できる。また、上記構成とすれば、比較的少ない部品点数で、上記特定入賞装置の構成を比較的複雑にすることなく、より確実に外力による上記開閉部材の回動を規制でき、特定入賞装置の構成の簡素化を図ることができる。
【００２４】
手段１１．手段３乃至手段１０のいずれかにおいて、前記駆動部材を前記第１位置に付勢する付勢手段を備えたことを特徴とする遊技機。
【００２５】
上記手段１１によれば、付勢手段を備えることにより、駆動部材を第１位置に維持させ、上記駆動伝達部材をより確実に規制することができる。
【００２６】
手段１２．手段１乃至手段１１のいずれかにおいて、前記遊技機はパチンコ機であること。中でも、パチンコ機の基本構成としては、操作ハンドルを備えておりそのハンドル操作に応じて遊技球を遊技盤面上に発射させ、遊技球が遊技盤を流下し、遊技盤に配設された所定の入賞手段に入賞することに基づいて、所定条件が成立した場合には特別遊技価値が付与される。
【００２７】
以下、パチンコ遊技機（以下、単に「パチンコ機」という）の一実施の形態を、図面に基づいて詳細に説明する。
【００２８】
図１に示すように、パチンコ機１は、外枠２と、該外枠２の前部に設けられ外枠２の一側部にて開閉可能に支持された前面枠３とを備えている。
【００２９】
前面枠３の前面側にはガラス扉枠４が開閉自在に設けられている。前面枠３の後側（ガラス扉枠４の奥、外枠２の内側）には、遊技盤５が着脱可能に装着されている。
【００３０】
ガラス扉枠４の下方には、遊技球Ｂを貯留するための球受皿としての上皿６が設けられている。また、前面枠３の前面下部には、ほぼ中央部において球受皿としての下皿７が設けられている。下皿７の側方には、遊技球発射用ハンドル８が設けられている。ハンドル８は図示しない遊技球発射装置に連結されており、遊技者がハンドル８を回転させることにより、遊技球Ｂが遊技球発射装置から発射される。
【００３１】
遊技盤５には、ルータ加工が施されることによって複数の開口部が形成されており、各開口部には、普通入賞チャッカー１１、可変入賞装置１２、特定入賞装置としての作動チャッカー１３、可変表示装置１４、スルーチャッカー１５等が配設されている。
【００３２】
遊技盤５の一側部には、遊技球発射装置によって発射される遊技球Ｂを遊技盤５の上部に案内する内レール１６ａ及び外レール１６ｂが設けられている。内レール１６ａの下端部付近において、遊技盤５には遊技球Ｂを導出するアウト口１７が形成されている。そして、遊技盤５の下部に流下した遊技球Ｂの多くは、このアウト口１７を通って図示しない球排出路へと案内される。本実施の形態では、遊技盤５のうち内レール１６ａ及び外レール１６ｂによって囲まれ、可変表示装置１４等が配設された部分が、遊技球Ｂが流下可能な遊技領域となっている。
【００３３】
さて、可変表示装置１４は、液晶表示部２０を備えている。液晶表示部２０には、例えば左図柄列、中図柄列及び右図柄列の３つの表示列が表示される。各図柄列は識別情報としての複数の図柄によって構成されており、これら図柄が各図柄列毎にスクロールするように可変表示される。
【００３４】
より詳しくは、可変表示装置１４の下方に設けられた作動チャッカー１３に遊技球Ｂが入賞することに基づいて、可変表示装置１４の液晶表示部２０の図柄が可変表示される。そして、停止された図柄の組合せが予め設定した特定の組合せとなった場合には特別遊技価値が付与される。すなわち、大当たり状態が発生し、可変入賞装置１２の大入賞口が所定の開放状態となり（具体的には所定時間、所定回数だけ開く）、遊技球Ｂが入賞しやすい状態になる。なお、可変入賞装置１２は、通常、遊技球Ｂが入賞できない状態又は入賞し難い状態になっている。なお、作動チャッカー１３は、通常、遊技球Ｂの入賞し難い閉塞状態となっており、所定条件が成立した場合には、遊技球Ｂの入賞しやすい開放状態となる。
【００３５】
また、周知のとおり、前記普通入賞チャッカー１１、可変入賞装置１２、作動チャッカー１３に遊技球Ｂが入賞することに基づいて、上皿６又は下皿７に対し所定数の景品球（遊技球Ｂ）が払い出される。また、遊技盤５には、遊技球Ｂの流下方向を適宜分散、調整等するために多数の釘や風車等の各種部材（役物）が配設されている（但し、便宜上、符号を省略する）。
【００３６】
パチンコ機１の背面側には、図示しない制御装置が設けられている。制御装置は、例えば、パチンコ機１の主たる制御を行う主基板や、遊技球Ｂの払出制御を行う払出制御基板等により構成されている。
【００３７】
次に、上述した作動チャッカー１３について図２乃至図６を参照しつつ詳しく説明する。作動チャッカー１３は、遊技盤５面上に配設される台板３０を備えている。台板３０の下部には遊技球Ｂが前後方向へ通過可能な通過孔３１が形成されている。台板３０の背面側には、通過孔３１の下辺部から突出する底壁部３２と、当該底壁部３２に連接し通過孔３１の両側辺部から突出する一対の側壁部３３とが設けられている。底壁部３２の下面部には、遊技球Ｂを検出するための検出スイッチ３４が取着されている。検出スイッチ３４の後部は、底壁部３２の後端部から突出しており、その突出部分には遊技球Ｂの通過を許容し、かつ、その通過を検出する検出孔３５が形成されている。底壁部３２の後端部には検出スイッチ３４を固定するとともに、遊技球Ｂを検出孔３５へと導くためのスイッチカバー３６が取着されている。
【００３８】
また、側壁部３３の後端上部には、特定駆動手段としてのソレノイド４０が固定カバー４１とともに取着されている。ソレノイド４０は、その台板３０側において、前後方向へ駆動可能な駆動部材としてのプランジャ４２を備えている。なお、プランジャ４２の軸心が本実施の形態における第１軸線を構成する。
【００３９】
プランジャ４２は、その軸部より径の大きな円盤状の掛かり部としての先端部４３を有する。また、前記軸部の周囲には付勢手段としてのコイルばね４４が圧縮された状態で取着されている。これにより、ソレノイド４０が非励磁状態にある場合には、コイルばね４４の付勢力によりプランジャ４２が突出位置に配され維持されている。また、ソレノイド４０が励磁されるとプランジャ４２がソレノイド４０内に没入し、励磁状態ではプランジャ４２がその没入位置で維持される。前記突出位置が本実施の形態における第１位置に相当し、前記没入位置が第２位置に相当する。従って、プランジャ４２の没入方向が本実施の形態における特定駆動方向に相当する。
【００４０】
前記両側壁部３３間には、ソレノイド４０の前方において、駆動伝達部材としてのソレノイドアーム４５が回動可能に支持されている。詳しくは、ソレノイドアーム４５は、両側壁部３３に沿った一対のアーム部４６と、両アーム部４６を連結する２本の連結バー（前連結バー４７と後連結バー４８）とにより構成されている。ここで、前連結バー４７が本実施の形態における第１受け部を構成し、後連結バー４８が第２受け部を構成する。
【００４１】
ソレノイドアーム４５には、その左右両側部（アーム部４６の外側壁部）の後端部近傍において、左右一対の軸突部４９が形成されている。各軸突部４９はそれぞれ前記両側壁部３３の相対向する面に設けられた孔部５０に回動可能にはめ込まれている。これにより、前記両軸突部４９を結んだ左右方向の線を軸として、ソレノイドアーム４５が両側壁部３３に対して回動するようになっている。なお、前記左右方向の軸線が本実施の形態における第２軸線に相当する。
【００４２】
両アーム部４６の前端部には、それぞれ上下一対の操作部（上操作部５１ａ、下操作部５１ｂ）が略前方へ向けて突出形成されている。なお、上記一対の操作部５１ａ，５１ｂが本実施の形態における特定操作部を構成する。また、上操作部５１ａが第１操作部を構成し、下操作部５１ｂが第２操作部を構成する。上下操作部５１ａ，５１ｂは、それぞれその先端部が略対向する側に向くように湾曲しており、両操作部５１ａ，５１ｂ間には略Ｃ字状に切り欠かれた隙間が形成されている。
【００４３】
前連結バー４７及び後連結バー４８は、アーム部４６の長手方向と略直交するように設けられており、それらの長手方向の両端部は下方に向けて屈曲し各アーム部４６の上面部に連接されている。
【００４４】
通常時（ソレノイド４０が非励磁状態にある場合）、ソレノイドアーム４５は前傾状態となっており、少なくとも下操作部５１ｂの高さ位置が軸突部４９の位置より低位置となっている。前連結バー４７には、通常時に上方を向く略平面状の受け面４７ａが形成され、通常時には、後連結バー４８の上端部が前連結バー４７の上端部より若干高くなる。また、通常時、プランジャ４２の先端部４３はコイルばね４４の付勢力によって、台板３０の背面側の受け部５２に当接するとともに、先端部４３の外周下端部が受け面４７ａにほぼ当接する。
【００４５】
さて、台板３０の前面側には、上部の開口した前カバー５３が通過孔３１を覆うように取着されている。前カバー５３と台板３０との間には、通過孔３１の両側辺部に対応して左右一対の開閉部材としての羽根５４が回動可能に支持されている。
【００４６】
詳しくは、前カバー５３と台板３０の相対向する面にはそれぞれ両羽根５４に対応するように図示しない軸突部が設けられている。両羽根５４の下部には、それぞれその前後両面において所定の前記軸突部がはめ込まれる前後一対の軸受け凹部５７が設けられている（図６参照）。従って、各羽根５４は、その両軸受け凹部５７を結ぶ前後方向の線を軸として回動するようになっている。両羽根５４の先端部は前カバー５３から外方へ突出している。なお、前記前後方向の軸線は本実施の形態における第３軸線に相当する。
【００４７】
両羽根５４の背面側には、それぞれ軸受け凹部５７の近傍であって、かつ、作動チャッカー１３の左右方向の中央部よりの部分において、略棒状の操作子５８が後方へ向けて突出形成されている。各操作子５８は、通常時、少なくとも軸受け部５７の中心より下方に位置する。各操作子５８は、通過孔３１を介して台板３０の背面側へ突出し、その後端部が前記各アーム部４６の一対の操作部５１ａ，５１ｂ間に配されている。
【００４８】
また、両羽根５４の前面側の下端部近傍には係止突部６０が設けられ、これに対応するように前カバー５３の背面側には係止突部６０を係止可能な図示しないストッパが設けられている。これにより、両羽根５４の回動変位量が規制され、後述するように両羽根５４が遊技球Ｂの入賞容易となる所定の開放位置に維持可能となっている。
【００４９】
さらに、台板３０の前面上部には、通過孔３１の上方において、遊技球Ｂが通過可能な貫通孔を有する誘導部材６１が設けられている。通常時、両羽根５４の先端部が略上方を向いた状態で誘導部材６１の下端部近傍に位置しており、各羽根５４と誘導部材６１との間は遊技球Ｂが通過不能となっている。従って、通常時、両羽根５４は遊技球Ｂが入賞困難となる閉塞位置をとり、誘導部材６１を介してのみ、遊技球Ｂが作動チャッカー１３内へ入球可能となる。
【００５０】
次に、上記のように構成されてなる本実施の形態の作用及び効果について説明する。
【００５１】
本実施の形態によれば、所定条件が成立し、ソレノイド４０が励磁されると、プランジャ４２が後方向へスライド変位しソレノイド４０内へ没入される。プランジャ４２が後方向へスライドする際には、先端部４３の下部が後連結バー４８に掛かり、後連結バー４８に後方向への力が加わる。このため、プランジャ４２のスライド変位に伴いソレノイドアーム４５が回動変位し、上下操作部５１ａ，５１ｂの位置が上がっていく。
【００５２】
これに伴い、各下操作部５１ｂによって各操作子５８に上方向への力が加えられる。これにより、両羽根５４は、各先端部が離間していくように回動変位する。つまり、作動チャッカー１３の正面から見て、左側の羽根５４は反時計回りに、右側の羽根５４は時計回りに回動する。この回動は、係止突部６０が前記ストッパに係止されることにより、各羽根５４の先端部が略水平方向に向いた位置で停止するようになっている（図６（ｂ）参照）。この状態、つまり作動チャッカー１３が開放状態となると、誘導部材６１を介してのみならず、誘導部材６１の下方からも遊技球Ｂが作動チャッカー１３内へ入賞可能となる。そして、作動チャッカー１３内へ入賞した遊技球Ｂは、通過孔３１を通過し、底壁部３２，検出孔３５を経て図示しない球排出部へと導かれる。そして、検出スイッチ３４によって遊技球Ｂが検出されると、上述したように上記払出制御基板の指示に基づき、上皿６又は下皿７に対し所定数の景品球（遊技球Ｂ）が払い出される。
【００５３】
さて、ソレノイド４０の励磁が解除されると、コイルばね４４の付勢力によってプランジャ４２は前方へスライドする。プランジャ４２が前方へスライドする際には、先端部４３の下部が前連結バー４７に掛かり、前連結バー４７に前方への力が加わる。これにより、ソレノイドアーム４５は回動し、各アーム部４６の先端部が通常時の位置へと戻される。これに伴い、各上操作部５１ａによって各操作子５８に下方向への力が加えられ、各羽根５４の先端部がそれぞれ内方向へ向かうように各羽根５４が回動する。各羽根５４の先端部が略上方を向いた状態（閉塞状態）となり停止する（図６（ａ）参照）。
【００５４】
この際、上述したように、プランジャ４２の先端部４３の下端部が受け面４７ａに当接される。つまり、通常時では、プランジャ４２の駆動方向及び各羽根５４の回動軸と、ソレノイドアーム４５の回動軸とが略直交した構成の下、プランジャ４２がソレノイドアーム４５を押さえ付けるとともに、各上操作部５１ａが各操作子５８をその回動方向に対して押さえ付けた状態となっている。
【００５５】
従って、各羽根５４に対してプランジャ４２からの応力以外の外力が加わった場合でも、各操作子５８を介してソレノイドアーム４５へ伝達される応力がプランジャ４２によって受け止められ、各羽根５４が回動困難となる。これにより、パチンコ機１内へ針金等を侵入させ、各羽根５４を強制的に開かせることによって、多くの遊技球Ｂを作動チャッカー１３へ入賞させようとする不正行為等を極力防止できる。
【００５６】
尚、上述した実施の形態の記載内容に限定されず、例えば次のように実施してもよい。
【００５７】
（ａ）上記実施の形態に限らず、作動チャッカー１３とは異なる他の特定入賞装置（例えば可変入賞装置等）において実施するようにしてもよい。可変入賞装置において実施した場合には、例えば略板状の開閉部材がソレノイドアームの回動軸線と略平行な軸線を軸心として回動し、略垂直方向に沿って配置されることにより閉塞位置となり、前方に傾倒することにより開放位置となる。
【００５８】
（ｂ）上記実施の形態では、作動チャッカー１３は、各羽根５４が閉塞状態となることにより、遊技球Ｂが当該作動チャッカー１３内に入賞困難な状態となるように構成されているが、これに限らず、各羽根５４が閉塞状態となることにより、その各先端部が当接し、遊技球Ｂが当該作動チャッカー１３内に入賞不能な状態となるように構成してもよい。
【００５９】
（ｃ）上記羽根５４の数が１つ又は３つ以上設けられた構成としてもよい。
【００６０】
（ｄ）上記実施の形態とは異なるタイプのパチンコ機にも適用してもよい。従って、可変表示装置１４のないパチンコ機や、いわゆる第１種，第３種のパチンコ機にも応用できる。また、本発明は、パチンコ機以外にも雀球、アレンジボール等の遊技機にも応用可能である。
【００６１】
【発明の効果】
本発明に係る遊技機によれば、作動チャッカー等の所定の入賞手段に対して行われる不正行為を低減することができる。
【図面の簡単な説明】
【図１】一実施の形態におけるパチンコ機を示す正面図である。
【図２】作動チャッカーの正面図である。
【図３】作動チャッカーの平面図である。
【図４】作動チャッカーの側面図である。
【図５】作動チャッカーを説明するための図２，３におけるＡ−Ａ線断面図である。
【図６】（ａ）は閉塞状態における羽根，ソレノイド等の状態を説明するための図であり、（ｂ）は開放状態における羽根，ソレノイド等の状態を説明するための図である。
【符号の説明】
１…遊技機としてのパチンコ機、５…遊技盤、１３…特定入賞装置としての作動チャッカー、１４…可変表示装置、２０…液晶表示部、３０…台板、３４…検出スイッチ、３５…検出孔、４０…特定駆動手段としてのソレノイド、４２…駆動部材としてのプランジャ、４３…掛かり部としての先端部、４４…付勢手段としてのコイルばね、４５…駆動伝達部材としてのソレノイドアーム、４６…アーム部、４７…第１受け部としての前連結バー、４７ａ…受け面、４８…第２受け部としての後連結バー、４９…軸突部、５１ａ…第１操作部としての上操作部、５１ｂ…第２操作部としての下操作部、５３…前カバー、５４…開閉部材としての羽根、５８…操作子、Ｂ…遊技球。
【図１】
0004529343.tif 000002
【図２】
0004529343.tif 000003
【図３】
0004529343.tif 000004
【図４】
0004529343.tif 000005
【図５】
0004529343.tif 000006
【図６】
0004529343.tif 000007